(57)【特許請求の範囲】
【請求項１】
その内部に、操作基板と電池と通信部を備え、高さ寸法より横幅寸法が大きく、この横幅寸法より奥行き寸法が長い縦長の本体筐体の最も広い面の一面を操作パネルの操作配置面とし、その両側と裏面側の筐体面をグリップ部とする遠隔操作装置において、
前記本体筐体は、前記操作配置面を備えた薄い板状の第１筐体と、この第１筐体の裏面側に段差部をもって隆起して形成される第２筐体とから構成され、
前記第１筐体は、第１筐体の裏面側の中央に、その長手方向に沿って形成される第２隆起部と、該第２隆起部の一端側に形成され、該第２隆起部の横幅より幅広の第１隆起部とから構成され、
前記第１隆起部は、その両側に形成される脚部と通信窓を備え、
前記第２の隆起部は、直列配置の電池収納部を備えている
ことを特徴とする遠隔操作装置。
【請求項２】
その内部に、操作基板と電池と通信部を備え、高さ寸法より横幅寸法が大きく、この横幅寸法より奥行き寸法が長い縦長の本体筐体の最も広い面の一面を操作パネルの操作配置面とし、その両側と裏面側の筐体面をグリップ部とする遠隔操作装置において、
前記本体筐体は、前記操作基板を内蔵した薄い板状の第１筐体と、この第１筐体の裏面側に段差部をもって隆起して形成される第２筐体とから構成され、
前記本体筐体は、その長手方向の両端部に形成される第１隆起部と、この一対の第１隆起部の間で前記第１隆起部の横幅より小さな横幅で棒状に形成される第２隆起部とから構成され、
前記第１隆起部の両端部に脚部を備え、前記第２隆起部には直列配置の電池収納部を備えている
ことを特徴とする遠隔操作装置。
【発明の詳細な説明】
【技術分野】
【０００１】
本発明は、テレビジョン受像機や画像再生装置などの遠隔操作を行う遠隔操作装置に関し、特に、片手で筐体を保持して操作することが可能な携帯型の遠隔操作装置である。
【背景技術】
【０００２】
家庭内で普及しているテレビジョン受像機や録画記録再生装置などの情報機器は、赤外線信号を介してコードレスで接続される遠隔操作装置で操作することが主流となっている。これら遠隔操作装置は、長手方向の一端側に赤外線信号を発信する送信窓を備えた棒状の本体筐体を片手で保持し、この本体筐体の操作パネルに設けた複数の操作キーを、遠隔操作装置を保持した手の親指や他の指で操作することで、情報機器本体を操作することができる。
【０００３】
また、これらの遠隔操作装置は、その内部に前記操作キーの操作基板と電池と赤外線発信部を設けている。そして、この遠隔操作装置は、片手で保持し易く、かつ、テーブル面でも安定して設置できるように、操作パネル配置面以外の筐体面に模様や凹部などの滑り防止の造形を施したグリップ部を形成している。
【０００４】
【特許文献１】意匠登録第１２０３７７１号公報
【特許文献２】意匠登録第１２９７５９０号公報
【特許文献３】意匠登録第１２９９９７０号公報
【発明の開示】
【発明が解決しようとする課題】
【０００５】
近年、家庭内に普及している情報機器や複合情報機器が多数となっており、必然的にこれら機器を操作する遠隔操作装置も多数必要となる。そこで、テレビジョン受像機や録画再生装置では、これら多数の遠隔操作装置の統合が図られている。このため、１つの遠隔操作装置で操作する機能が多数必要となるため、必然的に多くの操作スイッチが配置可能な広い操作パネル面を備えている。また、従来の遠隔操作装置においては、前記広い操作パネル面を備えた本体筐体に合わせて単３電池や単４電池を並列配置したものが一般的である。しかしながら、従来の遠隔操作装置は、電池を並列配置することにより本体筐体が大きくなり、片手で保持した際の操作性が良くないとの課題がある。
【０００６】
そこで、操作スイッチを機能ごとに分類して、それを本体筐体の長手方向に効率よく配置した細い棒状の本体筐体を備えた遠隔操作装置が提案されている。これら棒状の遠隔操作装置は、片手で握り易くするためにグリップ部を丸みを持って形成し、滑り防止用の模様や凹部を形成している。しかしながら、滑り防止策を施しているものの、その棒状の形態から今だ滑りやすいという課題がある。また、丸み形状ゆえにテーブル面に設置した際の安定感が良くないという課題を備えている。
【０００７】
そこで、この発明の目的とするところは、テーブル面に設置した際に安定操作することができるとともに、片手で保持した際に良好な操作性が得られる携帯型の遠隔操作装置を提供することにある。
【課題を解決するための手段】
【０００８】
前記目的を達成するために、本発明に係る遠隔操作装置では、その内部に、操作基板と電池と通信部を備え、高さ寸法より横幅寸法が大きく、この横幅寸法より奥行き寸法が長い縦長の本体筐体の最も広い面の１面を操作パネルの操作配置面とし、その両側と裏面側の筐体面をグリップ部とし、本体筐体は、前記操作配置面を備えた薄い板状の第１筐体と、この第１筐体の裏面側に段差部をもって隆起して形成される第２筐体とから構成され、前記第１筐体は、第１筐体の裏面側の中央に、その長手方向に沿って形成される第２隆起部と、該第２隆起部の一端側に形成され、該第２隆起部の横幅より幅広の第１隆起部とから構成され、前記第１隆起部は、その両側に形成される脚部と通信窓を備え、前記第２の隆起部は、直列配置の電池収納部を備えるようにする。
【発明の効果】
【０００９】
本発明によれば、テーブル面に設置した際に安定操作することができるとともに、片手で保持した際に良好な操作性が得られる携帯型の遠隔操作装置を提供することができる。
【発明を実施するための最良の形態】
【００１０】
以下、図１から図４を参照して、この発明に係る遠隔操作装置を具体的に説明する。ここで、図１から図３が第１の実施形態を示し、図４が第２の実施形態を示している。なお、同一部位や矢印などは同一符号をもって示し、重複した説明を省略する。
【００１１】
（第１の実施形態）
図１から図３を参照して、第１の実施形態に係る遠隔操作装置を具体的に説明する。ここで、図１は遠隔操作装置の外観図であり、図１（ａ）が背面側から見た状態の外観斜視図、図１（ｂ）が正面から見た状態の外観斜視図である。図２は遠隔操作装置の外観図であり、図２（ａ）が正面図、図２（ｂ）が背面図、図２（ｃ）が右側面図、図２（ｄ）が底面図、図２（ｅ）が上面図を示している。図３は遠隔操作装置の使用状態図であり、図３（ａ）図は片手で保持した状態の側面図、図３（ｂ）は片手で保持した状態の背面図、図３（ｃ）図はテーブルに設置した状態の側面図を示している。
【００１２】
先ず、図１を参照して、第１の実施形態に係る遠隔操作装置の概略構造を説明する。図１において、符号１で総括的に示す遠隔操作装置は、テレビジョン放送の操作系と記録再生系の操作信号を発信することが可能な遠隔操作装置である。もちろん、この実施の形態に係る遠隔操作装置１は、テレビ放送系や記録再生系の操作に限定されるものでなく、他の多様な遠隔操作装置でも適用可能である。また、この遠隔操作装置１は、赤外線信号を介して制御対象となる電子機器への操作指示を送信することができる。しかし、送信する操作信号は赤外線信号に限定されるものではなく無線通信でも適用することができる。更に、送信のみではなく送受信が可能な遠隔操作装置でも適用することができる。
【００１３】
さて、この遠隔操作装置１は、高さ寸法Ｈより横幅寸法Ｗが大きく、横幅寸法Ｗより奥行き寸法Ｄが長い縦長の本体筐体１０を備えている。本体筐体１０は、この本体筐体１０の最も広い面の一面を操作パネル１１の操作配置面１２とし、その両側と裏面側の筐体面をグリップ部１３としている。この本体筐体１０は、前記操作配置面１２を備えた薄い上カバー１４と、前記グリップ部１３を構成する厚い下カバー１５とを、図示しないネジで連結して構成される。
【００１４】
また、外観形状的にみると、本体筐体１０は、前記操作配置面１２を備えた薄い板状の第１筐体１０ａと、この第１筐体１０ａの裏面側に段差部１６をもって隆起して形成される第２筐体１０ｂとから構成される。第１筐体１０ａには、通信機能と操作機能を備えた操作スイッチ基板１７（図２参照）が内蔵され、第２筐体１０ｂには、長手方向に沿って直列に配置された複数の電池１８が内蔵されている。そして、第１筐体１０ａの周囲に前記上カバー１４と下カバー１５とを結合する結合溝１９が形成されるように、上カバー１４と下カバー１５とで本体筐体１０の外観を構成している。
【００１５】
前記操作配置面１２は、フラットに形成されることで多くのスイッチからなる操作パネル１１を配置可能としている。逆に、グリップ部１３は凹凸ある形状とすることで、片手で支持しやすく、かつ、テーブル面での安定設置が可能な形状としている。また、この本体筐体１０の長手方向の一端側には、赤外線信号を発信する送信窓２０が配置され、この送信窓２０を制御対象となる電子機器に向けるように片手で保持しながら操作スイッチ１１を操作することができる。
【００１６】
そして、この実施形態に係る遠隔操作装置の大きな特徴の１つは、本体筐体１０の長手方向に沿って形成される第２筐体１０ｂを、第１筐体１０ａの裏面側の中央に形成し、この第２筐体１０ｂを、長手方向の両端部に形成される第１隆起部２１と、この一対の第１隆起部２１との間で、前記第１隆起部２１の横幅Ｗ１より小さな横幅Ｗ２で棒状に形成される第２隆起部２２とから構成し、前記第１隆起部２１の両端部に脚部２３を備え、前記第２隆起部２２には直列配置の電池１８を収納した点にある。
【００１７】
この実施の形態によれば、前記第１隆起部２１の両端に設けた脚部２３により、この遠隔操作装置１をテーブル面に設置した際に安定した操作姿勢を確保することができる。また、第２隆起部２２に直列配置の電池１８を収納する電池収納スペース２４を確保することができ、しかもこの第２隆起部２２を第１筐体２１の裏面の中央部に設けることにより、第１筐体１０ａの裏面と第２隆起部２２との間に段差部１６を形成することができるから、この段差部１６を指掛部として安定した片手保持姿勢を取ることができる。しかも、第２隆起部２２は、一対の第１隆起部２１の間にあって、一様な横幅で形成される棒状の形態としているので、本体筐体１０の長手方向のどの位置を持っても同様な姿勢で支持することができる。更にまた、本体筐体１０の裏面側に延びる第２隆起部２２の両端部には、この第２隆起部２２の横幅Ｗ２より幅の広い第１隆起部２１が形成されているので、この隆起する部分が手がかりとなって、片手で持った際に遠隔操作装置１が滑って落下することを軽減することができる。
【００１８】
以下、図２と図３を参照して、この実施の形態に係る遠隔操作装置１を更に説明する。
【００１９】
図２において、この実施の形態では、本体筐体１０の横幅寸法Ｗを５１ｍｍ、高さ寸法Ｈを２３ｍｍ、奥行き寸法Ｄを２３０ｍｍとする片手で保持するのに十分な大きさを有する棒状の寸法体形としている。また、第１筐体１０ａは、その高さ（厚さ）Ｈ１を８ｍｍとする一様な厚さで形成されており、前記第２筐体１０ｂの外周より外側に張り出すことで、この本体筐体１０ａの薄さが強調された形状としている。
【００２０】
一方、第２筐体１０ｂは、送信窓２０を備えた長手方向の一端側の高さ寸法（厚さ）Ｈ２が、長手方向の他端側の高さ寸法（厚さ）Ｈ３より高く形成されるように、その側面形状をクサビ形に形成している。これにより、遠隔操作装置１をテーブル面などに設置した際に、操作パネル１１を備えた操作配置面１２を傾斜面とすることができるので、操作パネル１１の操作性を向上することができる。また、本体筐体１０を一端側に向かって細くなる外観形状とすることができるので、遠隔操作装置１を片手で保持した際のホールド性を向上することができる。そして何より、前記作用効果を維持しながら、前記高さ（厚さ）のある部分に電池１８を収納する電池収納スペース２４を確保しつつ、全体をコンパクトな形態とすることができる。
【００２１】
また、この実施形態では、遠隔操作装置１を片手で持った際の保持性をより確保するために、前記段差部１６の横幅寸法Ｗ３を第２隆起部２２の横幅Ｗ４を小さくしている。これを実現するために、この実施形態では、電池１８を直列に配置することで解決している。即ち、この実施の形態では、第２隆起部２２の横幅Ｗ２を電池１８の直径を収められる横幅寸法とすることで、この第２隆起部２２の両側に広い横幅寸法Ｗ３を備えた段差部１６を形成することができる。
【００２２】
そして、この実施形態では、この第２隆起部２２の横幅Ｗ３を、本体筐体１０の長手方向の両端部近傍まで確保することで、長い本体筐体１０のどの位置で持っても同様な保持性が得られる外観形状としている。
【００２３】
一方、前記第２隆起部２２の両端部には、この第２隆起部２２の横幅寸法Ｗ２より幅の広い横幅寸法Ｗ１を備えた第１隆起部２１が形成される。この第１隆起部２１の機能は、遠隔操作装置１をテーブル面に設置した際に、操作パネル１１へ加わる押下する力に対向する機能と、前記したように、指の手がかりとなる滑り防止（落下防止）の機能である。この実施形態では、遠隔操作装置１とテーブル面との接触部となる突起状の脚部２３が、操作パネル１１の両側のスイッチ１１ａの中心Ｐの近傍となるように、第１隆起部２１の横幅寸法Ｗ１と脚部２３が設定される。しかも、前記機能を確保すればよいので、第１隆起部２１の奥行き寸法Ｄ１を大きくする必要はなく、強度を考慮した寸法を確保すれば足りる。しかも、第１隆起部２１の一方に送信窓２０を配置することができるので、これを内蔵するスペースを確保することができる。例えば、送受信のための図示しない受信窓と送信窓２０を並べて配置するスペースや、無線装置を内蔵するスペースに活用することもできる。
【００２４】
ここで、操作パネル１１は、前記送信窓２０側の一端側にテレビ系の操作スイッチが、他端側に録画再生系の操作スイッチがそれぞれ配置され、その周囲には操作スイッチ基板１７とスイッチの配置を考慮してテーパーカットされた縁取部２５が形成されている。このため、操作パネル１１の両側のスイッチ１１ａも操作パネル１１の内側に配置される。これにより、操作パネル１１の対向面に形成された第１隆起部２１の両端部に形成される脚部２３も内側に形成することができるから、結果として、第１隆起部２１の横幅寸法Ｗ１も横幅寸法Ｗより小さくすることでき、使用状態において第１隆起部２１を第１筐体１０ａの陰に隠して見え難くすることができるので、遠隔操作装置１の薄形感を向上させることができる。
【００２５】
また、第２隆起部２２には、その長手方向に沿って、電池収納スペース２４の外側を覆う開閉蓋２７を設けている、これにより、電池１８の装着が容易となる。更に、第２隆起部２２は、その長手方向に沿って指をかける幾つかの凹部２６を形成することで、保持性をより向上させている。
【００２６】
図３（ａ）および図３（ｂ）において、前記したように、この実施形態によれば、本体筐体１０の長手方向に沿って形成される第２隆起部２２の両側に幅の広い段差部１６が形成されるので、この段差部１６に指をかけて片手で支持することができる。しかも、この段差部１６は長手方向に沿って一様に形成されるので、長手方向のどの位置で持っても確かな保持性が得られる。このため、長手方向の前部に配置したテレビ系の操作ではグリップ部１３の上部を保持し、あるいは録画再生系の操作ではグリップ部１３の下部を保持して良好な保持姿勢で操作を行うことができる。また、第２隆起部２２よりも外側に張り出した第１隆起部２１により、遠隔操作装置１が落下することを軽減することができる。
【００２７】
一方、図３（ｃ）に示すように、遠隔操作装置１をテーブル面に設置した状態においては、操作パネル１１の片側のスイッチ１１ａを指で押下しても、その力を両側に張り出した第１隆起部２１に設けた脚部２３で支持することができるので、遠隔操作装置１が前記押下の力により変形してしまうことを軽減することができる。
【００２８】
（第２の実施の形態）
図４を参照して、本発明に係る第２の実施形態に係る遠隔操作装置を説明する。ここで、図４は第２の実施の形態に係る遠隔操作装置の外観図であり、図４（ａ）が背面から見た状態の外観斜視図、図４（ｂ）が側面図を示している。なお、同一部位や寸法などは同一符号をもって示し、重複した説明を省略する。
【００２９】
図４において、この実施の形態に係る遠隔操作装置２は、第２隆起部２２の長手方向の両端に設けた一対の第１隆起部２１の内、送信窓２０を備えた第１隆起部２１を残して他の第１隆起部２１をなくした構造を特徴とする。即ち、この実施の形態は、クサビ形に形成した第２隆起部２２の尖った先端を第２筐体１０ｂの裏面側に収束して馴染んだ形状としている。そして、この収束した近傍の第２筐体１０ｂの裏面の両側に一対の脚部２３ａを配置したものである。この実施の形態によれば、前記第１の実施の形態と同様な作用効果がある。
【図面の簡単な説明】
【００３０】
【図１】第1の実施の形態に係る遠隔操作装置の遠隔操作装置の外観図である。
【図２】第1の実施の形態に係る遠隔操作装置の遠隔操作装置の外観図である。
【図３】第1の実施の形態に係る遠隔操作装置の遠隔操作装置の使用状態図である。
【図４】第２の実施の形態に係る遠隔操作装置の遠隔操作装置の外観図である。
【符号の説明】
【００３１】
１…遠隔操作装置、１０…本体筐体、１０ａ…第１筐体、１０ｂ…第２筐体、１１…操作パネル、１２…操作配置面、１３…グリップ部、１４…上カバー、１５…下カバー、１６…段差部、１７…操作スイッチ基板、１８…電池、１９…結合溝、２０…送信窓、２１…第１隆起部、２２…第２隆起部、２３…脚部、２４…電池収納スペース、２５…縁取部、２６…凹部、２７…開閉蓋、Ｈ…高さ寸法、Ｗ…横幅寸法、Ｗ１…第１隆起部の横幅、Ｗ２…第２隆起部の横幅、Ｗ３…段差部の奥行き寸法、Ｄ…奥行き寸法、Ｄ１…奥行き寸法、Ｈ１…第１筐体の高さ、Ｈ２…一端側の高さ寸法（厚さ）、Ｈ３…他端側の高さ寸法（厚さ）。
【図１】
0004919914.tif 000002
【図２】
0004919914.tif 000003
【図３】
0004919914.tif 000004
【図４】
0004919914.tif 000005